(57)【要約】【課題】画像形成装置からの離脱時に、供給電極が傷付くことを抑制することができるプロセスカートリッジおよび感光体カートリッジを提供すること。【解決手段】  現像ローラ７と、現像ローラ７に現像剤を供給するように構成される供給ローラ８とを備える現像カートリッジ３と、現像カートリッジ３を離脱可能に収容するドラムカートリッジ２とを備えるプロセスカートリッジ１において、ドラムカートリッジ２の右方の側壁３１Ｒに、現像ローラ７に電気的に接続される現像電極８３の前方に対向する第１対向壁４３と、供給ローラ８に電気的に接続される供給電極８１の前方に対向する第２対向壁４４とを設ける。【選択図】図６
2015129814.tif 000002
【特許請求の範囲】
【請求項１】
第１方向に延びる回転軸線について回転するように構成される現像ローラと、前記現像ローラに現像剤を供給するように構成される供給ローラと、前記現像ローラに電気的に接続される現像電極と、前記供給ローラに電気的に接続される供給電極とを備える現像カートリッジと、
前記第１方向と直交する第１側壁および第２側壁と、前記第１側壁と前記第２側壁とを連結する連結壁とを有する筐体と、感光体とを有し、前記現像カートリッジを離脱可能に収容する感光体カートリッジと、を備え、
前記第１側壁は、
前記第１方向と直交する第２方向において、前記現像電極と対向する第１壁部と、
前記第２方向において、前記供給電極と対向する第２壁部とを有することを特徴するプロセスカートリッジ。
【請求項２】
前記供給電極は、画像形成装置本体の第１本体電極と前記第１方向において接触するように構成される供給接触部を有し、
前記現像電極は、前記画像形成装置本体の第２本体電極と前記第１方向において接触するように構成される現像接触部を有し、
前記供給接触部は、前記第２方向において前記第２壁部と対向し、
前記現像接触部は、前記第２方向において前記第１壁部と対向することを特徴とする請求項１に記載のプロセスカートリッジ。
【請求項３】
前記第１側壁は、
前記連結壁と連結する連結部と、
前記第１方向と前記第２方向との両方向に直交する第３方向において前記連結部とは反対側の縁部とを有し、
前記連結部から前記縁部へ向かう方向において、前記供給接触部は、前記現像接触部よりも下流側にあることを特徴とする請求項２に記載のプロセスカートリッジ。
【請求項４】
前記連結部から前記縁部へ向かう方向において、前記縁部は、前記供給接触部と前記第１本体電極との接点よりも下流側に位置していることを特徴とする、請求項３に記載のプロセスカートリッジ。
【請求項５】
前記縁部は、前記第１方向において外方に突出し前記第２方向に延びる鍔部を有することを特徴とする、請求項３または４のいずれか一項に記載のプロセスカートリッジ。
【請求項６】
前記筐体は、
前記感光体が配置される第１端部と、
把持部が配置され前記第２方向において前記第１端部とは反対側の第２端部とを有し、
前記第２壁部の前記縁部は、前記第２端部から前記第１端部に向かうにつれて前記連結壁から離れるように傾斜する第１傾斜部を有することを特徴とする請求項５に記載のプロセスカートリッジ。
【請求項７】
前記鍔部は、前記第２端部から前記第１端部に向かうにつれて前記第１方向外方へ傾斜する第２傾斜部を有することを特徴とする、請求項６に記載のプロセスカートリッジ。
【請求項８】
前記現像カートリッジは、第１フレームと、前記第３方向において前記第１フレームと接合する第２フレームと、を有し、
前記連結部から前記縁部に向かう方向において、前記縁部は、前記第１フレームと前記第２フレームとの接合部よりも下流側に配置されることを特徴とする、請求項６または７に記載のプロセスカートリッジ。
【請求項９】
前記第１フレームは、前記現像ローラを支持し、
前記第１フレームは、
前記第２方向において前記供給接触部を被覆する被覆部と、
前記第１フレームの接合部と前記被覆部とを接続する接続部と、を有し、
前記接続部は、前記第２端部から前記第１端部に向かうにつれて前記第１方向外方に傾斜する第３傾斜部を有することを特徴とする、請求項８に記載のプロセスカートリッジ。
【請求項１０】
前記第２壁部の縁部は、前記第２端部から前記第１端部に向かう方向において、前記被覆部と前記接続部とに対して上流側に配置されていることを特徴とする請求項９に記載のプロセスカートリッジ。
【請求項１１】
前記感光体は、前記第１方向に沿って延びるシャフトを有し、
前記現像接触部と前記供給接触部とは、前記シャフトの端部よりも内方に配置されていることを特徴とする、請求項２〜１０のいずれか一項に記載のプロセスカートリッジ。
【請求項１２】
前記感光体カートリッジは、前記画像形成装置本体内のローラにとともに記録媒体を搬送する搬送ローラであって、前記第１方向に沿って延びる搬送ローラを有し、
前記現像接触部と前記供給接触部とは、前記搬送ローラの端部よりも内方に配置されていることを特徴とする、請求項２〜１１のいずれか一項に記載のプロセスカートリッジ。
【請求項１３】
第１方向に延びる回転軸線について回転するように構成される現像ローラと、前記現像ローラに現像剤を供給するように構成される供給ローラと、前記現像ローラに電気的に接続される現像電極と、前記供給ローラに電気的に接続される供給電極とを備える現像カートリッジが装着可能な感光体カートリッジであって、
前記第１方向に沿う回転軸線について回転するように構成される感光体と、
前記第１方向と直交する第１側壁および第２側壁と、前記第１側壁と前記第２側壁とを連結する連結壁とを有する筐体と、を備え、
前記第１側壁は、
前記第１方向と直交する第２方向において、前記現像電極と対向する第１壁部と、
前記第２方向において、前記供給電極と対向する第２壁部とを有することを特徴する感光体カートリッジ。
【発明の詳細な説明】
【技術分野】
【０００１】
本発明は、電子写真方式が採用される画像形成装置に装着されるプロセスカートリッジおよび感光体カートリッジに関する。
【背景技術】
【０００２】
画像形成装置として、現像ローラと供給ローラとを有するカートリッジを着脱可能に備えるプリンタが知られている。
【０００３】
このようなカートリッジとして、現像ローラの現像ローラ軸に電気的に接続される現像電極を有する現像カートリッジが知られている。さらに、このようなカートリッジは、供給ローラの供給ローラ軸に電気的に接続される供給電極を有している（たとえば、下記特許文献１参照。）。
【先行技術文献】
【特許文献】
【０００４】
【特許文献１】特開２０１１−１３３７６６号公報
【発明の概要】
【発明が解決しようとする課題】
【０００５】
しかるに、上記した特許文献１に記載の現像カートリッジでは、現像電極は、プリンタに装着された状態において、プリンタの現像接点と接触する必要があるために、露出されている。同様に供給電極も露出されている。そのため、プリンタに対して現像カートリッジを着脱するときに、供給電極または現像電極にプリンタ内部の部材が接触し、傷付くおそれがある。
【０００６】
そこで、本発明の目的は、画像形成装置本体に対する着脱時に、現像電極および供給電極が傷付くことを抑制することができるプロセスカートリッジおよび感光体カートリッジを提供することにある。
【課題を解決するための手段】
【０００７】
（１）上記した目的を達成するために、本発明のプロセスカートリッジは、現像カートリッジと、感光体カートリッジとを備える。
【０００８】
現像カートリッジは、第１方向に延びる回転軸線について回転するように構成される現像ローラと、現像ローラに現像剤を供給するように構成される供給ローラと、現像ローラに電気的に接続される現像電極と、供給ローラに電気的に接続される供給電極とを備える。
【０００９】
感光体カートリッジは、第１方向と直交する第１側壁および第２側壁と、第１側壁と第２側壁とを連結する連結壁とを有する筐体と、感光体とを有し、現像カートリッジを離脱可能に収容する。
【００１０】
第１側壁は、第１方向と直交する第２方向において、現像電極と対向する第１壁部と、第２方向において、供給電極と対向する第２壁部とを有する。
【００１１】
このような構成によれば、感光体カートリッジの第１壁部によって、第２方向において現像電極を保護することができる。また、感光体カートリッジの第２壁部によって、第２方向において供給電極を保護することができる。
【００１２】
そのため、画像形成装置本体に対してプロセスカートリッジを第２方向に着脱する場合に、第１壁部によって、画像形成装置本体内の構成が第２方向から現像電極に当接することを防止することができる。また、第２壁部によって、画像形成装置本体内の構成が第２方向から供給電極に当接することを防止することができる。
【００１３】
その結果、画像形成装置本体に対する着脱時に、現像電極および供給電極が傷付くことを抑制することができる。
（２）供給電極は、画像形成装置本体の第１本体電極と第１方向において接触するように構成される供給接触部を有してもよい。現像電極は、画像形成装置本体の第２本体電極と第１方向において接触するように構成される現像接触部を有してもよい。この場合、供給接触部は、第２方向において第２壁部と対向し、現像接触部は、第２方向において第１壁部と対向してもよい。
【００１４】
このような構成によれば、供給電極のうち、画像形成装置本体の第１本体電極に接触する供給接触部を確実に保護することができる。
【００１５】
また、現像電極のうち、画像形成装置本体の第２本体電極に接触する現像接触部を確実に保護することができる。
（３）第１側壁は、連結壁と連結する連結部と、第１方向と第２方向との両方向に直交する第３方向において連結部とは反対側の縁部とを有する。この場合、連結部から縁部へ向かう方向において、供給接触部は、現像接触部よりも下流側にあってもよい。
【００１６】
このような構成によれば、供給接触部と現像接触部とが第３方向において異なる位置に配置されている場合において、画像形成装置本体に対する着脱時に、現像接触部および供給接触部が傷付くことを抑制することができる。
（４）連結部から縁部へ向かう方向において、縁部は、供給接触部と第１本体電極との接点よりも下流側に位置していてもよい。
【００１７】
このような構成によれば、供給接触部のうち、画像形成装置本体の第１本体電極に接触する部分を確実に保護することができる。
（５）縁部は、第１方向において外方に突出し第２方向に延びる鍔部を有してもよい。
【００１８】
このような構成によれば、第１方向における鍔部の突出長さの分、第１方向において、供給接触部をより確実に保護することができる。
（６）筐体は、感光体が配置される第１端部と、把持部が配置され第２方向において第１端部とは反対側の第２端部とを有してもよい。第２壁部の縁部は、第２端部から第１端部に向かうにつれて連結壁から離れるように傾斜する第１傾斜部を有してもよい。
【００１９】
このような構成によれば、画像形成装置本体内の構成が鍔部に接触するときに、その構成を第１傾斜部によって、連結壁から離れる方向に案内して、プロセスカートリッジを画像形成装置本体に対して円滑に着脱することができる。
（７）鍔部は、第２端部から第１端部に向かうにつれて第１方向外方へ傾斜する第２傾斜部を有してもよい。
【００２０】
このような構成によれば、画像形成装置本体内の構成が鍔部に接触するときに、その構成を第２傾斜部によって、第１方向外方に案内して、プロセスカートリッジを画像形成装置本体に対して円滑に着脱することができる。
（８）現像カートリッジは、第１フレームと、第３方向において第１フレームと接合する第２フレームとを有してもよい。この場合、連結部から縁部に向かう方向において、縁部は、第１フレームと第２フレームとの接合部よりも下流側に配置されてもよい。
【００２１】
このような構成によれば、縁部によって、現像カートリッジの第１方向端部を確実に保護することができる。
（９）第１フレームは、現像ローラを支持してもよい。第１フレームは、第２方向において供給接触部を被覆する被覆部と、第１フレームの接合部と被覆部とを接続する接続部とを有してもよい。接続部は、第２端部から第１端部に向かうにつれて第１方向外方に傾斜する第３傾斜面を有してもよい。
【００２２】
このような構成によれば、画像形成装置本体内の構成が接続部に接触するときに、その構成を第３傾斜部によって、第１方向外方に案内して、プロセスカートリッジを画像形成装置本体に対して円滑に着脱することができる。
（１０）第２壁部の縁部は、第２端部から第１端部に向かう方向において、被覆部と接続部とに対して上流側に配置されていてもよい。
【００２３】
このような構成によれば、第２壁部と、被覆部および接続部とによって、供給接触部を、第２方向においてより確実に保護することができる。
（１１）感光体は、第１方向に沿って延びるシャフトを有してもよい。この場合、現像接触部と供給接触部とは、シャフトの端部よりも内方に配置されていてもよい。
【００２４】
このような構成によれば、現像接触部および供給接触部がシャフトの端部よりも外方へ突出している場合と比べて、画像形成装置本体内の構成が現像接触部および供給接触部に第１方向外方から当接することを抑制できる。
【００２５】
その結果、画像形成装置本体に対する着脱時に、現像接触部および供給接触部が傷付くことを、より抑制することができる。
（１２）感光体カートリッジは、画像形成装置本体内のローラにとともに記録媒体を搬送する搬送ローラであって、第１方向に沿って延びる搬送ローラを有してもよい。この場合、現像接触部と供給接触部とは、搬送ローラの端部よりも内方に配置されていてもよい。
【００２６】
このような構成によれば、現像接触部および供給接触部が搬送ローラの端部よりも外方へ突出している場合と比べて、画像形成装置本体内の構成が現像接触部および供給接触部に第１方向外方から当接することを抑制できる。
【００２７】
その結果、画像形成装置本体に対する着脱時に、現像接触部および供給接触部が傷付くことを、より抑制することができる。
（１３）本発明の感光体カートリッジは、第１方向に延びる回転軸線について回転するように構成される現像ローラと、現像ローラに現像剤を供給するように構成される供給ローラと、現像ローラに電気的に接続される現像電極と、供給ローラに電気的に接続される供給電極とを備える現像カートリッジが装着可能な感光体カートリッジである。
【００２８】
本発明の感光体カートリッジは、感光体と、筐体とを備える。感光体は、第１方向に沿う回転軸線について回転するように構成される。筐体は、第１方向と直交する第１側壁および第２側壁と、第１側壁と第２側壁とを連結する連結壁とを有する。
【００２９】
第１側壁は、第１方向と直交する第２方向において、現像電極と対向する第１壁部と、第２方向において、供給電極と対向する第２壁部とを有する。
【００３０】
このような構成によれば、感光体カートリッジの第１壁部によって、第２方向において現像電極を保護することができる。また、感光体カートリッジの第２壁部によって、第２方向において供給電極を保護することができる。
【００３１】
そのため、画像形成装置本体に対してプロセスカートリッジを第２方向に着脱する場合に、第１壁部によって、画像形成装置本体内の構成が第２方向から現像電極に当接することを防止することができる。また、第２壁部によって、画像形成装置本体内の構成が第２方向から供給電極に当接することを防止することができる。
【００３２】
その結果、画像形成装置本体に対する着脱時に、現像電極および供給電極が傷付くことを抑制することができる。
【発明の効果】
【００３３】
本発明のプロセスカートリッジおよび感光体カートリッジによれば、画像形成装置本体に対する着脱時に、現像電極および供給電極が傷付くことを抑制することができる。
【図面の簡単な説明】
【００３４】
【図１】図１は、本発明のプロセスカートリッジの一実施形態を示す中央断面図である。
【図２】図２は、図１に示すプロセスカートリッジが装着されるプリンタの中央断面図である。
【図３】図３は、図１に示すドラムカートリッジの右上方から見た斜視図である。
【図４】図４は、図１に示す現像カートリッジの右上方から見た斜視図である。
【図５】図５は、図４に示す現像カートリッジの右端部を右前方から見た分解斜視図である。
【図６】図６は、図１に示すプロセスカートリッジの平面図である。
【図７】図７は、図１に示すプロセスカートリッジの右側面図である。
【発明を実施するための形態】
【００３５】
１．プロセスカートリッジの概略
図１に示すように、プロセスカートリッジ１は、感光体カートリッジの一例としてのドラムカートリッジ２と、現像カートリッジ３とを備えている。
【００３６】
なお、以下の説明において、プロセスカートリッジ１の方向に言及するときには、プロセスカートリッジ１を水平に載置した状態を上下の基準とする。すなわち、図１の紙面上方が上方であり、紙面下方が下方である。また、図１の紙面左方が前方であり、図１の紙面右方が後方である。また、プロセスカートリッジ１を前方から見たときを左右の基準とする。すなわち、図１の紙面手前が右方であり、紙面奥が左方である。左右方向は、第１方向の一例である。前後方向は、第２方向の一例である。上下方向は、第３方向の一例である。
【００３７】
ドラムカートリッジ２は、感光体の一例としての感光ドラム４と、スコロトロン型帯電器５と、転写ローラ６とを備えている。
【００３８】
感光ドラム４は、ドラムカートリッジ２の後端部に回転可能に支持されている。感光ドラム４は、左右方向に延びる略円筒形状を有している。
【００３９】
スコロトロン型帯電器５は、感光ドラム４の後上方において、感光ドラム４と間隔を隔てて配置されている。
【００４０】
転写ローラ６は、感光ドラム４の下方に配置されている。転写ローラ６は、感光ドラム４の下端部と接触している。
【００４１】
現像カートリッジ３は、感光ドラム４の前方において、ドラムカートリッジ２に装着されている。現像カートリッジ３は、現像ローラ７と、供給ローラ８と、層厚規制ブレード９と、トナー収容部１０とを備えている。
【００４２】
現像ローラ７は、現像カートリッジ３の後端部に回転可能に支持されている。現像ローラ７は、現像ローラ軸７Ａと、現像ローラ本体７Ｂとを備えている。
【００４３】
現像ローラ軸７Ａは、略円柱形状を有している。現像ローラ軸７Ａは、左右方向に延びている。すなわち、現像ローラ７の回転軸線Ａは、左右方向に延びている。現像ローラ軸７Ａは、金属からなる。
【００４４】
現像ローラ本体７Ｂは、略円筒形状を有している。現像ローラ本体７Ｂは、左右方向に延びている。現像ローラ本体７Ｂは、導電性を有するゴムからなる。現像ローラ本体７Ｂは、現像ローラ軸７Ａの左右両端部を被覆せず、現像ローラ軸７Ａの左右方向略中央を被覆している。現像ローラ本体７Ｂは、感光ドラム４の前端部に接触している。
【００４５】
供給ローラ８は、現像ローラ７の前下方に配置されている。供給ローラ８は、現像カートリッジ３に回転可能に支持されている。供給ローラ８は、供給ローラ軸８Ａと、供給ローラ本体８Ｂとを備えている。
【００４６】
供給ローラ軸８Ａは、略円柱形状を有している。供給ローラ軸８Ａは、左右方向に延びている。供給ローラ軸８Ａは、金属からなる。
【００４７】
供給ローラ本体８Ｂは、略円筒形状を有している。供給ローラ本体８Ｂは、左右方向に延びている。供給ローラ本体８Ｂは、導電性を有するスポンジからなる。供給ローラ本体８Ｂは、供給ローラ軸８Ａの左右両端部を被覆せず、供給ローラ軸８Ａの左右方向略中央を被覆している。供給ローラ本体８Ｂは、現像ローラ本体７Ｂの前下端部に接触している。
【００４８】
層厚規制ブレード９は、現像ローラ７の前上方に配置されている。層厚規制ブレード９は、現像ローラ７の前端部に接触している。
【００４９】
トナー収容部１０は、供給ローラ８および層厚規制ブレード９の前方に配置されている。トナー収容部１０は、現像剤の一例としてのトナーを収容するように構成されている。トナー収容部１０は、アジテータ１１を備えている。
【００５０】
アジテータ１１は、トナー収容部１０内に回転可能に支持されている。
２．プロセスカートリッジの使用態様
画像形成装置２１は、電子写真方式のモノクロプリンタである。画像形成装置２１は、画像形成装置本体の一例としての装置本体２２と、プロセスカートリッジ１と、スキャナユニット２３と、定着ユニット２４とを備えている。
【００５１】
装置本体２２は、略ボックス形状を有している。装置本体２２は、開口部２５と、フロントカバー２６と、給紙トレイ２７と、排紙トレイ２８とを有している。
【００５２】
開口部２５は、装置本体２２の前端部に配置されている。開口部２５は、プロセスカートリッジ１の通過を許容するように、装置本体２２の内外を前後方向に連通している。
【００５３】
フロントカバー２６は、装置本体２２の前端部に配置されている。フロントカバー２６は、略板形状を有している。フロントカバー２６は、上下方向に延び、その下端部を支点として装置本体２２の前壁に揺動可能に支持されている。フロントカバー２６は、開口部２５を開放または閉鎖するように構成されている。
【００５４】
給紙トレイ２７は、装置本体２２の底部に配置されている。給紙トレイ２７は、用紙Ｐを収容するように構成されている。
【００５５】
排紙トレイ２８は、装置本体２２の上壁に配置されている。排紙トレイ２８は、用紙Ｐが載置されるように、装置本体２２の上面から下方へ凹んでいる。
【００５６】
プロセスカートリッジ１は、装置本体２２の上下方向略中央に収容されている。プロセスカートリッジ１は、開口部２５を介して装置本体２２に対して装着または離脱するように構成されている。
【００５７】
スキャナユニット２３は、プロセスカートリッジ１の上方に配置されている。スキャナユニット２３は、感光ドラム４に向けて画像データに基づくレーザービームを出射するように構成されている。
【００５８】
定着ユニット２４は、プロセスカートリッジ１の後方に配置されている。定着ユニット２４は、加熱ローラ２９と、加熱ローラ２９の後下端部に圧接される加圧ローラ３０とを備えている。
【００５９】
画像形成装置２１が画像形成動作を開始すると、スコロトロン型帯電器５は、感光ドラム４の表面を一様に帯電する。スキャナユニット２３は、感光ドラム４の表面を露光する。これにより、画像データに基づく静電潜像が、感光ドラム４の表面に形成される。
【００６０】
また、アジテータ１１は、トナー収容部１０内のトナーを撹拌して、供給ローラ８に供給する。供給ローラ８は、アジテータ１１によって供給されたトナーを現像ローラ７に供給する。このとき、トナーは、現像ローラ７と供給ローラ８との間で正極性に摩擦帯電され、現像ローラ７に担持される。層厚規制ブレード９は、現像ローラ７に担持されたトナーの層厚を一定厚さに規制する。
【００６１】
そして、現像ローラ７に担持されたトナーは、感光ドラム４表面の静電潜像に供給される。これにより、トナー像が、感光ドラム４の表面に担持される。
【００６２】
記録媒体の一例としての用紙Ｐは、給紙トレイ２７から、各種ローラの回転により、ローラの一例としてのレジストローラ２０と、後述するバックアップローラ４８との間に供給され、レジストローラ２０の駆動、および、バックアップローラ４８の従動により、所定のタイミングで１枚ずつ、感光ドラム４と転写ローラ６との間に給紙される。感光ドラム４表面のトナー像は、用紙Ｐが感光ドラム４と転写ローラ６との間を通過するときに、用紙Ｐに転写される。
【００６３】
その後、用紙Ｐは、加熱ローラ２９と加圧ローラ３０との間を通過するときに加熱および加圧される。これにより、用紙Ｐ上のトナー像は、用紙Ｐに熱定着される。その後、用紙Ｐは、排紙トレイ２８に排紙される。
３．ドラムカートリッジの詳細
ドラムカートリッジ２は、図３に示すように、筐体の一例としてのドラムフレーム４９と、搬送ローラの一例としてのバックアップローラ４８とを備えている。
【００６４】
ドラムフレーム４９は、平面視略矩形の有底枠形状を有している。ドラムフレーム４９の後端部は、第１端部の一例である。ドラムフレーム４９の前端部は、第２端部の一例である。ドラムフレーム４９は、１対の側壁３１と、連結壁の一例としての下壁３２と、後壁３４と、前壁３３と、上壁３５とを備えている。
【００６５】
１対の側壁３１のそれぞれは、ドラムフレーム４９の左右方向両端部のそれぞれに配置されている。１対の側壁３１のそれぞれは、前後方向に延びる側面視略矩形の板形状を有している。第２側壁の一例としての左方の側壁３１Ｌは、カップリング受入部３６と、左カラー受入部３７とを有している。第１側壁の一例としての右方の側壁３１Ｒは、電極受入部３９と、右カラー受入部４０とを有している。右方の側壁３１Ｒの下端部は、連結部の一例である。右方の側壁３１Ｒの上端部は、縁部の一例である。
【００６６】
カップリング受入部３６は、左方の側壁３１Ｌの前後方向略中央に配置されている。カップリング受入部３６は、左方の側壁３１Ｌの上端部から下方へ凹み、上端部が解放された側面視略Ｕ字形状を有している。
【００６７】
左カラー受入部３７は、カップリング受入部３６の後下端部に配置されている。左カラー受入部３７は、後方へ凹み、前端部が解放された側面視略Ｕ字形状を有している。
【００６８】
電極受入部３９は、右方の側壁３１Ｒの前後方向略中央に配置されている。電極受入部３９は、右方の側壁３１Ｒの上端部から下方へ凹み、上端部が解放された側面視略Ｕ字形状を有している。電極受入部３９は、対向壁３８を有している。
【００６９】
対向壁３８は、電極受入部３９の後壁を構成する。対向壁３８は、電極受入部３９の下端縁の後端部に連続して上方へ向かって階段状に延びている。対向壁３８は、第１壁部の一例としての第１対向壁４３と、第２壁部の一例としての第２対向壁４４とを有している。
【００７０】
第１対向壁４３は、対向壁３８の下方半分を構成する。第１対向壁４３は、電極受入部３９の下端縁の後端部に連続して上方へ向かって延び、前後方向に延びる側面視略矩形状を有している。第１対向壁４３は、第１段差部４３Ａと、第１縁部４３Ｂと、第２段差部４３Ｃとを有している。
【００７１】
第１段差部４３Ａは、第１対向壁４３の下端部の後端部である。第１段差部４３Ａは、電極受入部３９の下端縁の後端部から上方へ向かって延びている。
【００７２】
第１縁部４３Ｂは、第１対向壁４３の上下方向中央に配置されている。第１縁部４３Ｂは、第１段差部４３Ａの上端縁から前方へ向かって延びている。
【００７３】
第２段差部４３Ｃは、第１対向壁４３の上端部の後端部である。第２段差部４３Ｃは、第１縁部４３Ｂの上端縁から上方へ向かって延びている。
【００７４】
第２対向壁４４は、対向壁３８の下方半分を構成する。第２対向壁４４は、第１対向壁４３の後端部に連続して上方へ延び、前後方向に延びる側面視略矩形状を有している。第２対向壁４４の前端部４４Ａは、後方へ向かうにつれて上方へ傾斜している。すなわち、第２対向壁４４の前端部４４Ａは、第１傾斜部の一例である。第２対向壁４４は、第２縁部４４Ｂと、第３段差部４４Ｃと、鍔部の一例としての鍔部４５を有している。
【００７５】
第２縁部４４Ｂは、第２対向壁４４の下側半分の後端部である。第２縁部４４Ｂは、第２段差部４３Ｃの上端縁から前上方へ向かって延びている。
【００７６】
第３段差部４４Ｃは、第２対向壁４４の上側半分の後端部である。第３段差部４４Ｃは、第２縁部４４Ｂの上端縁から上方へ向かって延びている。
【００７７】
鍔部４５は、第２対向壁４４の上端縁から右方へ突出し、前後方向に延びる略平板形状を有している。鍔部４５は、第２傾斜部の一例としての傾斜部４６を有している。
【００７８】
傾斜部４６は、鍔部４５の前端部に配置されている。傾斜部４６の前面４６Ａは、後方へ向かうにつれて右方へ傾斜している。
【００７９】
右カラー受入部４０は、電極受入部３９の後下端部に配置されている。右カラー受入部４０は、後方へ凹み、前端部が解放された側面視略Ｕ字形状を有している。
【００８０】
下壁３２は、１対の側壁３１の下端部間に架設され、前後方向に延びている。下壁３２の左右方向両端部は、１対の側壁３１のそれぞれの下端部に連続している。下壁３２は、平面視略矩形の板形状を有している。
【００８１】
後壁３４は、下壁３２の後端部から上方へ突出し、左右方向に延びる板形状を有している。
【００８２】
前壁３３は、下壁３２の前端部から連続して上方へ延びている。前壁３３は、正面視略矩形の板形状を有している。前壁３３の左右両端部は、１対の側壁３１の前端部に連続している。前壁３３は、把持部５０を有している。
【００８３】
把持部５０は、前壁３３の左右方向略中央に配置されている。把持部５０は、平面視略矩形の平板形状を有している。把持部５０は、前壁３３の上端部から前方へ延びている。
【００８４】
上壁３５は、感光ドラム４を覆うように、ドラムフレーム４９の後端部の上方に配置されている。上壁３５は、スコロトロン型帯電器５を支持している。
【００８５】
なお、ドラムフレーム４９において、上壁３５、１対の側壁３１、および、下壁３２の後端部によって構成される略ボックス形状の部分が、感光ドラム４を支持するドラム支持部４１である。感光ドラム４は、その左右方向両端部において、感光ドラム４をアースするためのシャフトの一例としてのドラムシャフト４７を有している。
【００８６】
ドラムシャフト４７は、ドラム支持部４１において、１対の側壁３１よりも左右方向外方へ突出している。ドラムシャフト４７は、金属からなり、左右方向に延びる略円柱形状を有している。
【００８７】
また、上壁３５よりも前方において、上壁３５の前端部、１対の側壁３１および前壁３３によって画定される部分が、現像カートリッジ３が装着されるカートリッジ装着部の一例としての現像カートリッジ装着部４２である。
【００８８】
バックアップローラ４８は、ドラムフレーム４９の下端部の前後方向略中央に回転可能に支持されている。バックアップローラ４８は、左右方向に延びる略円柱形状を有している。バックアップローラ４８は、図１に示すように、プロセスカートリッジ１が装置本体２２内に装着された状態で、装置本体２２のレジストローラ２０の上端部に接触する。
４．現像カートリッジの詳細
現像カートリッジ３は、図４に示すように、現像フレーム５１と、駆動部５２と、給電部５３とを備えている。
（１）現像フレーム
現像フレーム５１は、図４および図５に示すように、後端部が解放された側面視略矩形のボックス形状を有している。現像フレーム５１は、上記した現像ローラ７、供給ローラ８および層厚規制ブレード９を支持し、上記したトナー収容部１０を有している。現像フレーム５１は、第１フレームの一例としてのベースフレーム５４と、第２フレームの一例としてのカバーフレーム５５とを備えている。
（１−１）ベースフレーム
ベースフレーム５４は、１対の側壁５６と、下壁５７と、前壁５８とを備えている。
【００８９】
１対の側壁５６のそれぞれは、現像フレーム５１の左右両端部のそれぞれに配置されている。１対の側壁５６のそれぞれのそれぞれは、前後方向に延びる側面視略矩形の略板状を有している。１対の側壁５６のそれぞれは、現像ローラ軸挿通溝６１と、供給ローラ軸挿通穴６２と、ブレード支持部６３と、接合部の一例としての鍔部５９と、位置決めボス６４とを備えている。また、右方の側壁５６は、第１突出壁６６と、被覆部の一例としての第２突出壁６７と、補強リブ６８とを一体に有している。
【００９０】
現像ローラ軸挿通溝６１は、側壁５６の後端部の上下方向略中央部分に配置されている。現像ローラ軸挿通溝６１は、側壁５６の後端縁から前方に向かって凹み、後端部が開放される側面視略Ｃ字形状を有している。現像ローラ軸挿通溝６１の内径は、現像ローラ軸７Ａの外径よりも長い。
【００９１】
供給ローラ軸挿通穴６２は、現像ローラ軸挿通溝６１の前下方に配置されている。供給ローラ軸挿通穴６２は、側面視略矩形状を有し、側壁５６を左右方向に貫通している。供給ローラ軸挿通穴６２の内寸は、供給ローラ軸８Ａの外径よりも長い。
【００９２】
ブレード支持部６３は、側壁５６の後上端部から上方に向かって突出し、前後方向に延びる略角柱形状を有している。層厚規制ブレード９の左右方向端部は、ブレード支持部６３の前端部にねじ止めされている。
【００９３】
鍔部５９は、ブレード支持部６３の前方に配置されている。鍔部５９は、側壁５６の上端縁から左右方向外方へ突出し、前後方向に延びる略板形状を有している。鍔部５９の後端部は、ブレード支持部６３の前端部に連続している。
【００９４】
位置決めボス６４は、ブレード支持部６３の前方に配置されている。位置決めボス６４は、鍔部５９の上面から上方に向かって突出する略円柱形状を有している。
【００９５】
第１突出壁６６は、右方の側壁５６の後端部の右端縁から上方に向かって突出している。第１突出壁６６は、鍔部５９およびブレード支持部６３の右端縁に沿って前後方向に延びる平面視略クランク形状を有している。第１突出壁６６の上端縁は、上下方向において、ブレード支持部６３の上端縁と略同じ位置に配置されている。第１突出壁６６は、後方部分６６Ａと、屈曲部分６６Ｂと、前方部分６６Ｃとを備えている。
【００９６】
後方部分６６Ａは、第１突出壁６６の後方半分を構成し、ブレード支持部６３の右方に配置されている。後方部分６６Ａは、前後方向に延びる略板形状を有している。
【００９７】
屈曲部分６６Ｂは、第１突出壁６６の前後方向略中央部分に配置されている。屈曲部分６６Ｂは、後方部分６６Ａの前端縁から右方に向かって延びる略板形状を有している。
【００９８】
前方部分６６Ｃは、第１突出壁６６の前方半分を構成し、位置決めボス６４の右方に配置されている。前方部分６６Ｃは、屈曲部分６６Ｂの右端縁から前方に向かって延びる略板形状を有している。前方部分６６Ｃは、その下端部において鍔部５９の後端部の右端縁に連続している。
【００９９】
第２突出壁６７は、第１突出壁６６の前端縁から右方へ突出し、上下方向に延びる正面視略矩形の板形状を有している。第２突出壁６７の上端縁は、上下方向において、第１突出壁６６の上端縁と略同じ位置に配置されている。
【０１００】
補強リブ６８は、第２突出壁６７の前方に配置されている。補強リブ６８は、接続部の一例としての第１リブ６９と、複数、具体的には２つの第２リブ７０とを備えている。
【０１０１】
第１リブ６９は、鍔部５９の前後方向略中央部分の右端縁から右方へ突出し、前後方向に延びる略板形状を有している。第１リブ６９の後端部は、第２突出壁６７の前面に連続している。第１リブ６９の前面６９Ａは、鍔部５９の右端縁から連続して前方から後方に向かうにつれて右方に傾斜している。第１リブ６９の前面６９Ａは、第３傾斜部の一例である。
【０１０２】
複数の第２リブ７０のそれぞれは、左右方向に互いに間隔を空けて並列配置されている。左方の第２リブ７０は、第２突出壁６７の前面の左端縁から前方に向かって突出し、上下方向に延びる略板形状を有している。左方の第２リブ７０の下端部は、第１リブ６９の左端縁の上面に連続している。右方の第２リブ７０は、第２突出壁６７の前面の前後方向略中央から前方に向かって突出し、上下方向に延びる略板形状を有している。右方の第２リブ７０の下端部は、第１リブ６９の左右方向略中央の上面に連続している。第２リブ７０の前面７０Ａは、前方から後方に向かうにつれて上方に傾斜し、第２突出壁６７の上端縁に連続している。
【０１０３】
下壁５７は、前後方向および左右方向に延びる略平板形状を有している。下壁５７の左右両端部は、１対の側壁５６の下端部に連続している。
【０１０４】
前壁５８は、上下方向および左右方向に延びる略平板形状を有している。前壁５８の下端部は、下壁５７の前端部に連続している。前壁５８の左右両端部のそれぞれは、１対の側壁５６のそれぞれの前端部に連続している。
（１−２）カバーフレーム
カバーフレーム５５は、膨出部７１と、接合部の一例としての鍔部７２とを有している。
【０１０５】
膨出部７１は、カバーフレーム５５の平面視略中央部分に配置されている。膨出部７１は、上方に向かって膨出する平面視略矩形状を有している。
【０１０６】
鍔部７２は、膨出部７１を囲むように、カバーフレーム５５の周縁部に配置されている。鍔部７２は、膨出部７１の下端部から左右方向外方および前方に突出し、カバーフレーム５５の周方向に延びる略板形状を有している。鍔部７２の左右方向両端部は、ベースフレーム５４の１対の側壁５６のそれぞれの鍔部５９に接合されている。鍔部７２の前端部は、ベースフレーム５４の前壁５８の上端部に接合されている。鍔部７２は、１対の位置決め穴７３を備えている。
【０１０７】
１対の位置決め穴７３のぞれぞれは、左右の鍔部７２のそれぞれの後端部に配置されている。１対の位置決め穴７３のそれぞれは、平面視略円形状を有し、鍔部７２を上下方向に貫通している。１対の位置決め穴７３のそれぞれは、ベースフレーム５４の１対の側壁５６のそれぞれの位置決めボス６４を受け入れている。
（２）駆動部
駆動部５２は、現像フレーム５１の左端部に支持されている。駆動部５２は、装置本体２２からの駆動力を受けるように構成されている。また、駆動部５２は、その内部において、装置本体２２からの駆動力を現像ローラ７、供給ローラ８およびアジテータ１１に伝達する図示しないギア列を有している。
（３）給電部
給電部５３は、現像フレーム５１の右端部の後端部に支持されている。給電部５３は、供給電極８１と、軸受部材８２と、現像電極８３とを備えている。
【０１０８】
供給電極８１は、導電性の樹脂材料からなり、前上方と後下方とを結ぶ方向に延びる略杆形状を有している。供給電極８１は、供給接触部８４と、供給挿通部８６とを有している。
【０１０９】
供給接触部８４は、供給電極８１の前上端部に配置されている。供給接触部８４は、左右方向に延び、右端部が閉鎖された略角筒形状を有している。供給接触部８４は、第１突出壁６６の前方部分６６Ｃの右方、かつ、第２突出壁６７の後方に配置されている。供給接触部８４の右面は、左右方向において、第２突出壁６７の右端縁とほぼ同じ位置に配置されている。供給接触部８４の上面は、上下方向において、第１突出壁６６の上端縁、および、第２突出壁６７の上端縁とほぼ同じ位置に配置されている。
【０１１０】
供給挿通部８６は、供給電極８１の後下端部に配置されている。供給挿通部８６は、左右方向に延びる略円筒形状を有している。供給挿通部８６は、供給ローラ軸８Ａの径方向外方から供給ローラ軸８Ａに嵌まっている。
【０１１１】
軸受部材８２は、絶縁性の樹脂材料からなり、側面視略矩形の平板形状を有している。軸受部材８２は、保護部８９と、軸受部８８とを有している。
【０１１２】
保護部８９は、軸受部材８２の前上端部に配置されている。保護部８９は、左右方向に延び、右端部が閉鎖された側面視略Ｌ字の筒形状を有している。保護部８９は、供給接触部８４の後方および下方に配置されている。保護部８９の右面は、左右方向において、供給接触部８４の右面とほぼ同じ位置に配置されている。
【０１１３】
軸受部８８は、保護部８９の後下方に配置されている。軸受部８８は、側面視略矩形の略板状を有している。軸受部８８は、その後端部において現像ローラ軸７Ａを軸受し、その下端部において供給ローラ軸８Ａを軸受している。
【０１１４】
現像電極８３は、導電性の樹脂材料からなり、前後方向に延びる略角柱形状を有している。現像電極８３は、現像接触部９２と、現像被覆部９３とを有している。
【０１１５】
現像接触部９２は、現像電極８３の前半分に配置されている。現像接触部９２は、左右方向に延び、右端部が閉鎖された略角柱形状を有している。現像接触部９２は、保護部８９の後下方において、供給接触部８４よりも下方に配置されている。
【０１１６】
現像被覆部９３は、現像電極８３の後半分に配置されている。現像被覆部９３は、左右方向に延びる略円筒形状を有している。現像被覆部９３は、現像ローラ軸７Ａの右端部に嵌まっている。
４．ドラムカートリッジに対する現像カートリッジの装着状態
現像カートリッジ３は、図６および図７に示すように、ドラムカートリッジ２の現像カートリッジ装着部４２内に装着されている。
【０１１７】
このとき、現像カートリッジ３の給電部５３は、ドラムカートリッジ２の電極受入部３９内に嵌まっている。
【０１１８】
詳しくは、現像電極８３の現像被覆部９３は、電極受入部３９の右カラー受入部４０内に嵌まっている。現像電極８３の現像接触部９２は、電極受入部３９の第１対向壁４３の後方に向かい合っている。より詳しくは、現像接触部９２は、第１段差部４３Ａ、第１縁部４３Ｂおよび第２段差部４３Ｃの後方に向かい合っている。
【０１１９】
また、現像電極８３および供給電極８１の右面は、ドラムシャフト４７およびバックアップローラ４８の右端縁よりも左方、かつ、第２対向壁４４の鍔部４５の右端縁よりも右方に配置されている。
【０１２０】
また、現像カートリッジ３の第２突出壁６７および補強リブ６８は、電極受入部３９の第２対向壁４４の後方に向かい合っている。より詳しくは、第２突出壁６７および補強リブ６８は、第２縁部４４Ｂおよび第３段差部４４Ｃの後方に向かい合っている。
【０１２１】
第２突出壁６７の右端縁は、第２対向壁４４の鍔部４５の右端縁よりも右方に配置されている。また、第２対向壁４４の上端縁は、現像カートリッジ３のベースフレーム５４の鍔部５９、および、カバーフレーム５５の鍔部７２よりも上方に配置されている。また、第２対向壁４４の上端縁は、上下方向において、第２突出壁６７の上端部とほぼ同じ位置に配置されている。
５．装置本体に対するプロセスカートリッジの着脱
装置本体２２に現像カートリッジ３を装着するには、作業者は、プロセスカートリッジ１を装置本体２２に装着する。
【０１２２】
プロセスカートリッジ１を装置本体２２に装着するには、作業者は、フロントカバー２６を開放して、プロセスカートリッジ１を後端部から装置本体２２内に挿入し、後方へ押し込む。
【０１２３】
装置本体２２に対するプロセスカートリッジ１の装着が完了すると、図６および図７に仮想線で示すように、装置本体２２内の第１本体電極１０１が、供給電極８１の供給接触部８４の右面の中央に右方から接触する。すなわち、第２対向壁４４の上端縁は、供給接触部８４と第１本体電極１０１との接点よりも上方に位置している。また、装置本体２２内の第２本体電極１０２が、現像電極８３の現像接触部９２の右面の中央に右方から接触する。
【０１２４】
そして、上記した画像形成動作が実施されると、第１本体電極１０１から供給接触部８４に電力が供給され、第２本体電極１０２から現像接触部９２に電力が供給される。
【０１２５】
供給接触部８４に供給された電力は、供給挿通部８６を介して供給ローラ軸８Ａに供給される。また、現像接触部９２に供給された電力は、現像被覆部９３を介して現像ローラ軸７Ａに供給される。
【０１２６】
また、プロセスカートリッジ１を装置本体２２から離脱するには、作業者は、フロントカバー２６を開放して、上記した装着動作と反対に、プロセスカートリッジ１を前方へ引き抜く。
【０１２７】
ここで、図６に仮想線で示すように、装置本体２２内の構成１００が、プロセスカートリッジ１の右端部に干渉する場合がある。
【０１２８】
この場合、装置本体２２内の構成１００は、プロセスカートリッジ１の離脱方向の上流、すなわち前方から、ドラムカートリッジ２の鍔部４５、または、現像カートリッジ３の補強リブ６８に当接する。
【０１２９】
すると、プロセスカートリッジ１は、装置本体２２内の構成１００からの反力により、わずかに左方へ移動しながら、装置本体２２内の構成１００の左方を通過する。
【０１３０】
これにより、プロセスカートリッジ１の離脱動作において、装置本体２２内の構成１００が供給接触部８４および現像接触部９２に当接することを抑制される。
５．作用効果
（１）このプロセスカートリッジ１およびドラムカートリッジ２によれば、図６および図７に示すように、ドラムカートリッジ２の右方の側壁３１Ｒは、現像電極８３の前方に対向する第１対向壁４３と、供給電極８１の前方に対向する第２対向壁４４とを有している。
【０１３１】
そのため、第１対向壁４３によって、現像電極８３を前方から保護することができる。また、第２対向壁４４によって、供給電極８１を前方から保護することができる。
【０１３２】
これにより、装置本体２２からプロセスカートリッジ１を前方へ離脱するときに、第１対向壁４３によって、装置本体２２内の構成１００が前方から現像電極８３に当接することを防止することができる。また、第２対向壁４４によって、装置本体２２内の構成１００が前方から供給電極８１に当接することを防止することができる。
【０１３３】
その結果、装置本体２２からプロセスカートリッジ１を離脱するときに、現像電極８３および供給電極８１が傷付くことを抑制できる。
（２）このプロセスカートリッジ１およびドラムカートリッジ２によれば、図６および図７に示すように、供給接触部８４は、第２対向壁４４の後方に対向し、現像接触部９２は、第１対向壁４３の後方に対向している。
【０１３４】
そのため、供給電極８１のうち、装置本体２２の第１本体電極１０１に接触する供給接触部８４を確実に保護することができる。
【０１３５】
また、現像電極８３のうち、装置本体２２の第２本体電極１０２に接触する現像接触部９２を確実に保護することができる。
（３）このプロセスカートリッジ１およびドラムカートリッジ２によれば、図７に示すように、供給接触部８４が現像接触部９２よりも上方に配置されており、現像接触部９２と現像接触部９２とが上下方向において異なる位置に配置されている場合において、現像接触部９２および現像接触部９２が傷付くことを抑制することができる。
（４）このプロセスカートリッジ１およびドラムカートリッジ２によれば、図７に示すように、第２対向壁４４の上端縁は、供給接触部８４と第１本体電極１０１との接点よりも上方に位置している。
【０１３６】
そのため、供給接触部８４のうち、装置本体２２の第１本体電極１０１に接触する部分を確実に保護することができる。
（５）このプロセスカートリッジ１およびドラムカートリッジ２によれば、図６に示すように、第２対向壁４４は、その上端縁から右方に突出し、前後方向に延びる鍔部４５を有している。
【０１３７】
そのため、左右方向における鍔部４５の突出長さの分、左右方向において、供給接触部８４をより確実に保護することができる。
（６）このプロセスカートリッジ１およびドラムカートリッジ２によれば、図７に示すように、第２対向壁４４の前端部４４Ａは、その前端部において、後方に向かうにつれて上方へ傾斜している。
【０１３８】
そのため、装置本体２２内の構成１００が第２対向壁４４に接触するときに、その構成１００を上方に案内して、プロセスカートリッジ１を装置本体２２から円滑に離脱することができる。
（７）このプロセスカートリッジ１およびドラムカートリッジ２によれば、図６に示すように、鍔部４５は、後方に向かうにつれて右方へ傾斜する傾斜部４６を有している。
【０１３９】
そのため、装置本体２２内の構成１００が鍔部４５に接触するときに、その構成１００を右方に案内して、プロセスカートリッジ１を装置本体２２から円滑に離脱することができる。
（８）このプロセスカートリッジ１およびドラムカートリッジ２によれば、図７に示すように、第２対向壁４４の上端部は、現像カートリッジ３のベースフレーム５４の鍔部５９、および、カバーフレーム５５の鍔部７２よりも上方に配置されている。
【０１４０】
そのため、第２対向壁４４によって、現像カートリッジ３の右端部を確実に保護することができる。
（９）このプロセスカートリッジ１およびドラムカートリッジ２によれば、図６に示すように、現像カートリッジ３は、後方へ向かうにつれて右方に傾斜する第１リブ６９を有している。
【０１４１】
そのため、装置本体２２内の構成１００が第１リブ６９に接触するときに、その構成１００を右方に案内して、プロセスカートリッジ１を装置本体２２に対して円滑に着脱することができる。
（１０）このプロセスカートリッジ１およびドラムカートリッジ２によれば、図６および図７に示すように、第２対向壁４４の上端部は、現像カートリッジ３の第２突出壁６７および補強リブ６８に対して前方に配置されている。
【０１４２】
そのため、第２対向壁４４と、第２突出壁６７および補強リブ６８とによって、供給接触部８４を前方からより確実に保護することができる。
（１１）このプロセスカートリッジ１およびドラムカートリッジ２によれば、図６に示すように、現像接触部９２と供給接触部８４とは、ドラムシャフト４７の右端部よりも左方に配置されている。
【０１４３】
そのため、現像接触部９２および供給接触部８４がドラムシャフト４７の右端部よりも右方へ突出している場合と比べて、装置本体２２内の構成１００が現像接触部９２および供給接触部８４に右方から当接することを抑制できる。
【０１４４】
その結果、装置本体２２に対する着脱時に、現像接触部９２および供給接触部８４が傷付くことを抑制することができる。
（１２）このプロセスカートリッジ１およびドラムカートリッジ２によれば、図６に示すように、現像接触部９２と供給接触部８４とは、バックアップローラ４８の右端部よりも左方に配置されている。
【０１４５】
そのため、現像接触部９２および供給接触部８４がバックアップローラ４８の右端部よりも右方へ突出している場合と比べて、装置本体２２内の構成１００が現像接触部９２および供給接触部８４に右方から当接することを抑制できる。
【０１４６】
その結果、装置本体２２に対する着脱時に、現像接触部９２および供給接触部８４が傷付くことを抑制することができる。
６．変形例
（１）上記した実施形態では、現像カートリッジ３にトナー収容部１０を一体的に設けているが、トナー収容部１０を現像カートリッジ３から分離可能に設けることもできる。
（２）上記した実施形態では、現像電極８３に現像接触部９２と現像被覆部９３とを一体的に設けているが、現像接触部９２と現像被覆部９３とを個別に設けて、金属からなる接続部材で現像接触部９２と現像被覆部９３とを電気的に接続することもできる。
（３）上記した実施形態では、供給電極８１に供給接触部８４と供給挿通部８６とを一体的に設けているが、供給接触部８４と供給挿通部８６とを個別に設けて、金属からなる接続部材で供給接触部８４と供給挿通部８６とを電気的に接続することもできる。
【符号の説明】
【０１４７】
１      プロセスカートリッジ
２      ドラムカートリッジ
３      現像カートリッジ
４      感光ドラム
７      現像ローラ
８      供給ローラ
２０    レジストローラ
２２    装置本体
３１Ｌ  側壁
３１Ｒ  側壁
３２    下壁
４３    第１対向壁
４４    第２対向壁
４４Ａ  前端部
４５    鍔部
４６    傾斜部
４７    ドラムシャフト
４８    バックアップローラ
４９    ドラムフレーム
５０    把持部
５４    ベースフレーム
５５    カバーフレーム
５９    鍔部
６７    第２突出壁
６９    第１リブ
６９Ａ  前面
７２    鍔部
８１    供給電極
８３    現像電極
８４    供給接触部
９２    現像接触部
１０１  第１本体電極
１０２  第２本体電極
Ａ      回転軸線
Ｐ      用紙
【図１】
2015129814.tif 000003
【図２】
2015129814.tif 000004
【図３】
2015129814.tif 000005
【図４】
2015129814.tif 000006
【図５】
2015129814.tif 000007
【図６】
2015129814.tif 000008
【図７】
2015129814.tif 000009